(57)【要約】【課題】運用システムを備えた自転車のスマートハンドルバーを提供する。【解決手段】本発明の運用システムを備えた自転車のスマートハンドルバーは、ハンドルバーに配置される制御装置を備える。制御装置は、ディスプレイパネルに電気的に接続されるプロセッサーと、バーコード生成モジュールと、情報読み取りモジュールと、無線送受信モジュールと、位置決めモジュールとを含む。バーコード生成モジュールによりレンタルバーコードが提供されると共に前記ディスプレイパネルに表示され、使用者はハンドヘルドデバイスを持ってバーコードをスキャンすることでレンタルを実行できる。或いは、使用者は情報読み取りモジュールに情報要素を読み取らせることで、レンタルを実行できる。無線送受信モジュールは、制御情報を受信させる。これにより、ハンドルバーの制御装置を使用してレンタル及び返却を実行できる。【選択図】図４
2019048624.tif 000002
【特許請求の範囲】
【請求項１】
管理プラットフォームに接続させるために用いられる運用システムを備えた自転車のスマートハンドルバーであって、
レンタル自転車に配置されるハンドルバーと、
前記ハンドルバーに配置され、且つディスプレイパネルに電気的に接続されるプロセッサーと、バーコード生成モジュールと、無線送受信モジュールと、位置決めモジュールとを含む制御装置とを含み、
前記バーコード生成モジュールによりレンタルバーコードが提供されると共に前記ディスプレイパネルに表示され、使用者がハンドヘルドデバイスを持って前記バーコードをスキャンすることでレンタルを実行可能であり、
前記位置決めモジュールは前記レンタル自転車の位置情報の測位及び確定に用いられ、
前記無線送受信モジュールは前記管理プラットフォームに対して前記レンタル自転車の位置情報を伝送させ、前記管理プラットフォームから出力される制御情報を受信させるために用いられることを特徴とする運用システムを備えた、自転車のスマートハンドルバー。
【請求項２】
管理プラットフォームに接続させるために用いられる運用システムを備えた自転車のスマートハンドルバーであって、
レンタル自転車に配置されるハンドルバーと、
前記ハンドルバーに配置され、ディスプレイパネルに電気的に接続されるプロセッサーと、情報読み取りモジュールと、無線送受信モジュールと、位置決めモジュールとを含む制御装置と、を含み、
前記情報読み取りモジュールは使用者から提出された情報要素の検知及び読み取りに用いられ、且つこれに基づいてレンタル情報を生成させ、
前記位置決めモジュールは前記レンタル自転車の位置情報の測位及び確定に用いられ、
前記無線送受信モジュールは前記管理プラットフォームに対して前記レンタル自転車の位置情報を及び前記レンタル情報を伝送させ、前記管理プラットフォームから出力される制御情報を受信させるために用いられることを特徴とする運用システムを備えた、自転車のスマートハンドルバー。
【請求項３】
前記自転車に配置されるステムロック機構を更に含み、前記制御装置が前記制御情報を受信させ、且つ前記制御情報により前記ステムロック機構がロック解除状態になるように制御されることを特徴とする請求項１または２に記載の運用システムを備えた自転車のスマートハンドルバー。
【請求項４】
前記ステムロック機構はステムロック及びステムストライクプレートを含み、前記ステムロックには制御を受けると共に十分伸縮可能なロック舌が配置され、前記ステムストライクプレートは鍵穴を有し、前記ステムロックは前記ステムストライクプレートから分離されて前記レンタル自転車に装設され、且つ前記ステムロック及び前記ステムストライクプレートが相対的に変移することで前記鍵穴が前記ロック舌に対応させることを特徴とする請求項３に記載の運用システムを備えた自転車のスマートハンドルバー。
【請求項５】
前記ステムロックには駆動機構が配置され、前記駆動機構は前記ロック舌に連結され、前記制御情報は前記駆動機構を制御して前記ロック舌を前記鍵穴から離れさせてロック解除状態にするために用いられることを特徴とする請求項４に記載の運用システムを備えた自転車のスマートハンドルバー。
【発明の詳細な説明】
【技術分野】
【０００１】
本発明は、レンタル自転車の技術領域に関し、更に詳しくは、運用システムを備えた自転車のスマートハンドルバー（Smart Handle Bar of Bicycle with Operating System）に関する。
【背景技術】
【０００２】
従来のレンタル自転車の運用モードは固定駐輪ポールモードを含む。所定の場所に複数の駐輪ポールが設置され、且つ各駐輪ポールには電力及びネットワーク装置が配置される。レンタル自転車のレンタル及び返却では、先ず駐輪ポールに寄せた後、前記駐輪ポールの電力及びネットワーク装置を利用してレンタル及び返却を完了させる。
【発明の概要】
【発明が解決しようとする課題】
【０００３】
しかしながら、前述した従来の技術では、すなわち、前記モードの長所は管理しやすく、自転車が散らばらずに済むことである。但し、欠点として駐輪ポールの建設コストが高く、自転車を手に入れにくい点が挙げられる。
【０００４】
なお、他の運用モードは駐輪ポール無しモード（non-station mode）である。携帯電話を使用して自転車に付けられたバーコードのスキャンを行い、且つ携帯電話のアプリを使用してレンタル及び返却を実行する。このモードの長所は、使用者が自転車を手に入れやすいことである。但し、自転車が散らばりやすく、使用者が故意にバーコードを貼り替えて他人が前記自転車をレンタルできなくすることもある。
【０００５】
上述したように、駐輪ポールありのレンタル返却も駐輪ポール無しのレンタル返却もどちらも長短あり、両者の運用モードの差異は、駐輪ポールありのモードでは固定式の電力及びネットワークが採用され、駐輪ポール無しのモードでは使用者の携帯電話のネットワークが採用される。
【０００６】
そこで、本発明者は上記の欠点が改善可能と考え、鋭意検討を重ねた結果、合理的設計で上記の課題を効果的に改善する本発明の提案に到った。
【０００７】
本発明はこうした状況に鑑みてなされたものであり、その目的は、運用システムを備えた自転車のスマートハンドルバーを提供することにある。すなわち、駐輪ポールありモードの電力及びネットワーク装置がレンタル自転車に配置され、駐輪ポールあり及び駐輪ポール無しのレンタル方式が前記レンタル自転車に応用される。こうして、駐輪ポールありモード及び駐輪ポール無しモードの欠点を解決させる。
【０００８】
さらに、本発明の他の目的は、運用システムを備えた自転車のスマートハンドルバーを提供する。すなわち、使用者が必要に応じてレンタル及び返却モードを便利に選べるようになる効果を有する。
【課題を解決するための手段】
【０００９】
上記課題を解決するために、本発明のある態様の運用システムを備えた自転車のスマートハンドルバーは、レンタル自転車に配置されるハンドルバー及び前記ハンドルバーに配置される制御装置を備える。前記制御装置は、ディスプレイパネルに電気的に接続されるプロセッサーと、バーコード生成モジュールと、情報読み取りモジュールと、無線送受信モジュールと、位置決めモジュールとを含む。前記バーコード生成モジュールによりレンタルバーコードが提供されると共に前記ディスプレイパネルに表示され、使用者はハンドヘルドデバイスを持って前記バーコードをスキャンすることでレンタルを実行できる。或いは、前記使用者は前記情報読み取りモジュールに情報要素を読み取らせることでレンタルを実行できる また、前記無線送受信モジュールはロック解除制御情報を受信させる。
【発明の効果】
【００１０】
本発明によれば、前記制御装置がネットワーク機能を有し、従来の駐輪ポールのネットワーク装置に取って代わる。また、前記レンタルバーコードは前記制御装置が起動されることで初めて生成されて表示されるため、故意に交換されるのを防ぐ。
【図面の簡単な説明】
【００１１】
【図１】本発明の好ましい実施形態のシンプル駐輪ポール及び駐輪ポール無し運用システムを示す概略図である。
【図２】本発明のレンタル自転車がステムロック機構を配置する構成を示す概略図である。
【図３】本発明の制御装置の外観を示す概略図である。
【図４】本発明の制御装置の構成を示すブロック図である。
【図５】本発明のレンタルの実行を示す概略図（一）である。
【図６】本発明のレンタルの実行を示す概略図（二）である。
【図７】本発明のリモートロック解除の構成を示す概略図である。
【発明を実施するための形態】
【００１２】
以下、図面を参照しつつ、本発明に係る運用システムを備えた自転車のスマートハンドルバーについて具体的に説明する。なお、各実施の形態によりこの発明が限定されるものではない。
【実施例】
【００１３】
本実施例の発明は、図１は自転車レンタルシステムを示し、前記システムは１つ以上のレンタル自転車１０に応用可能であり、固定式駐輪スタンド２０と、ネットワークシステム３０と、管理プラットフォーム４０とで構成される駐輪ポール無しまたはシンプル駐輪ポール方式のレンタル返却システムである。すなわち、前記固定式駐輪スタンド２０は電力設備、ネットワーク設備、及び読み取り機能等の固定式設備を備えず、前記レンタル自転車１０が前記固定式駐輪スタンド２０に対してロック及び返却状態となり、これによりシンプル駐輪ポール運用システムが構成される。前記レンタル自転車１０を適切な位置に駐輪して単独でロックしてロック返却状態にしてもよく、どのような形式の駐輪設備も必要なく、こうして駐輪ポール無し運用システムが構成される。
【００１４】
本実施例に係る前記レンタル自転車１０にはステムロック機構５０が配置される（図２参照）。前記ステムロック機構５０はステムロック５２及びステムストライクプレート５６を備える。前記ステムロック５２には制御を受けると共に十分伸縮可能なロック舌５４が配置され、前記ステムストライクプレート５６は鍵穴５８を有する。前記ステムロック５２は前記レンタル自転車１０のフレームに装設され、前記ステムストライクプレート５６は前記自転車１０のフロントフォークに装設される。このため、前記レンタル自転車１０のハンドルが回転されると前記ステムストライクプレート５６が連動されて擺動し、前記鍵穴５８が前記ロック舌５４に対応させる。
【００１５】
本実施例では制御装置６０を備える（図３参照）。図に示すように、前記制御装置６０は前記レンタル自転車１０のハンドル１２に装設されるか連結され、或いは前記制御装置６０は前記ハンドル１２の一部分である。前記制御装置６０の外表面にはディスプレイパネル６２及び制御キー６４を有する。前記制御キー６４は前記制御装置６０を起動させると共に前記ディスプレイパネル６２に所定の情報を表示させるために用いられる。
【００１６】
図４に示すように、前記制御装置６０は前記ディスプレイパネル６２に電気的に接続されるプロセッサー６６と、バーコード生成モジュール６８と、情報読み取りモジュール７０と、無線送受信モジュール７２と、位置決めモジュール７４とを備える。
【００１７】
前記バーコード生成モジュール６８は前記制御装置６０が起動された際に、レンタルバーコードを自動的に生成して前記ディスプレイパネル６２に表示させる。
【００１８】
また、前記情報読み取りモジュール７０はＲＦＩＤ読み取りモジュール（RFID Reader Module）でもよい。前記情報読み取りモジュール７０は情報要素の内容の感知及び読み取りに用いられる。前記情報要素はＲＦＩＤタグ（RFID Tag）や悠遊カード等の電子マネーカードでもよい。
【００１９】
また、前記無線送受信モジュール７２は３Ｇ／４Ｇ／ブルートゥース／Ｚｉｇｂｅｅ等の遠距離及び／或いは近距離伝送モジュールの組み合わせを含む。前記位置決めモジュール７４は全地球測位システム（GPS）モジュールでもよい。
【００２０】
図４及び図５に示すように、使用者が前記制御キー６４をタッチまたは押して前記制御装置６０を起動させると、前記バーコード生成モジュール６８によりレンタルバーコード７６が提供されて前記ディスプレイパネル６２に表示される。前記レンタルバーコード７６の内容はレンタル情報であり、前記レンタル情報は前記レンタル自転車のシリアルナンバー及び位置情報等を含む。前記使用者がハンドヘルドデバイス７８を持って前記レンタルバーコード７６のスキャンを行った後に、前記ハンドヘルドデバイス７８により前記レンタル情報及び使用者情報が前記管理プラットフォーム４０に伝送されてレンタル作業が完了する。上述の前記ハンドヘルドデバイス７８は携帯電話やタブレット端末でもよい。
【００２１】
図４及び図６に示すように、使用者が前記制御キー６４をタッチまたは押すことで前記制御装置６０が起動される。前記使用者は前記ディスプレイパネル６２の感知領域６３に情報要素８０を近付けるか触れさせる。前記感知領域６３により前記情報読み取りモジュール７０が前記情報要素８０の内容（使用者情報を含む）の検知及び読み取りを行うと共にこれに基づいてレンタル情報を生成させる。前記制御装置６０の前記無線送受信モジュール７２により前記レンタル自転車の位置情報及び前記レンタル情報が前記管理プラットフォーム４０に伝送されてレンタル作業が完了する。前記情報要素８０は悠遊カード等の電子マネーカードやＲＦＩＤタグ（RFID Tag）でもよい。
【００２２】
なお、図４及び図７に示すように、上述のレンタル作業が完了した後、前記管理プラットフォーム４０により制御情報８２が伝送される。前記制御情報８２が前記無線送受信モジュール７２により受信された後に前記プロセッサー６６により処理されて前記ステムロック機構５０に伝送される。
【００２３】
図７に示すように、前記ステムロック機構５０の前記ステムロック５２には駆動機構８４が配置され、且つ前記駆動機構８４が前記ロック舌５４に連結される。前記プロセッサー６６により処理された前記制御情報８２が前記ステムロック機構５０に伝送されると共に前記駆動機構８４を作動させるために用いられ、前記ロック舌５４が収縮して前記ステムストライクプレート５６の前記鍵穴５８から離れ、こうしてロック解除状態となる。
【００２４】
以上の実施例の説明のように、本発明に係るスマートハンドルバーの設計では、遠隔の管理プラットフォーム及びスマートステムロック機構が組み合わせられ、駐輪ポール無しレンタル返却方式及びシンプル駐輪ポールレンタル返却方式が提供され、一般的な駐輪ポールありのレンタル方式とは異なる。また、本実施例ではハンドヘルドデバイスによるレンタル返却方式及び悠遊カード等の電子マネーカードによるレンタル返却方式が提供され、使用がより簡単で便利になる。
【００２５】
以上、本発明の実施形態について図面を参照して詳述したが、具体的な構成はこの実施形態に限られるものではなく、本発明の要旨を逸脱しない範囲の設計変更等も含まれる。
【符号の説明】
【００２６】
１０  …  レンタル自転車
１２  …  ハンドル
２０  …  固定式駐輪スタンド
３０  …  ネットワークシステム
４０  …  管理プラットフォーム
５０  …  ステムロック機構
５２  …  ステムロック
５４  …  ロック舌
５６  …  ステムストライクプレート
５８  …  鍵穴
６０  …  制御装置
６２  …  ディスプレイパネル
６３  …  感知領域
６４  …  制御キー
６６  …  プロセッサー
６８  …  バーコード生成モジュール
７０  …  情報読み取りモジュール
７２  …  無線送受信モジュール
７４  …  位置決めモジュール
７６  …  レンタルバーコード
７８  …  ハンドヘルドデバイス
８０  …  情報要素
８２  …  制御情報
８４  …  駆動機構
【図１】
2019048624.tif 000003
【図２】
2019048624.tif 000004
【図３】
2019048624.tif 000005
【図４】
2019048624.tif 000006
【図５】
2019048624.tif 000007
【図６】
2019048624.tif 000008
【図７】
2019048624.tif 000009